(57)【要約】【課題】周囲の状況に適した運転を行うことが可能な空気調和システムを提供する。【解決手段】空気調和機構１００（１８０）と、制御部２１０（１１０）とを備える空気調和システム１が提供される。制御部２１０は、空気調和機構１８０とは別の機器３００の動作状態を取得して、空気調和機構１８０の制御温度を低下させる。【選択図】図１
2018119695.tif 000002
【特許請求の範囲】
【請求項１】
空気調和機構と、
制御部とを備え、
前記制御部は、前記空気調和機構とは別の機器の動作状態を取得して、前記空気調和機構の制御温度を低下させる、空気調和システム。
【請求項２】
前記別の機器は、浴室用機器であって、
前記制御部は、前記浴室用機器の動作状態に基づいて前記制御温度を低下させる、請求項１に記載の空気調和システム。
【請求項３】
前記別の機器は、調理用機器であって、
前記制御部は、前記調理用機器の動作状態に基づいて前記制御温度を低下させる、請求項１または２に記載の空気調和システム。
【請求項４】
前記別の機器は近傍にユーザがいるか否かを検知するためのセンサであって、
前記制御部は、前記別の機器の動作状態として前記センサの近傍にユーザが滞在する時間に基づいて前記制御温度を低下させる、請求項１から３のいずれか１項に記載の空気調和システム。
【請求項５】
前記制御部は、さらに前記空気調和機構の操作履歴または動作履歴に基づいて、前記制御温度を変更する、請求項１から４のいずれか１項に記載の空気調和システム。
【請求項６】
前記制御部は、前記別の機器の動作状態に基づいて、前記空気調和機構の制御湿度も変更する、請求項１から５のいずれか１項に記載の空気調和システム。
【請求項７】
前記制御部は、前記別の機器の動作終了後に前記制御温度を段階的にもとの制御温度に戻していく、請求項１から６のいずれか１項に記載の空気調和システム。
【発明の詳細な説明】
【技術分野】
【０００１】
本発明は、空気調和機構の技術に関し、特に周囲の状態に適した運転を行うための技術に関する。
【背景技術】
【０００２】
一般に、空気調和機は、圧縮機、室外熱交換器、膨張弁、室内熱交換器、切換弁等の部品が接続される冷凍サイクルを搭載する。このような空気調和機では、切換弁を切り換えることで、冷凍サイクルを冷房除霜運転サイクルおよび暖房運転サイクルに切り換えることができる。
【０００３】
そして、冷房運転サイクルや除湿運転サイクル、暖房運転時のリバース除霜運転サイクルでは、圧縮機、切換弁、室外熱交換器（凝縮器）、膨張弁、室内熱交換器（蒸発器）、切換弁、圧縮機の順に冷媒が循環し、これにより、室内熱交換器で吸収した室内の熱が室外熱交換器で室外に放出される。
【０００４】
また、暖房運転サイクルでは、圧縮機、切換弁、室内熱交換器（凝縮器）、膨張弁、室外熱交換器（蒸発器）、切換弁、圧縮機の順に冷媒が循環し、これにより、室外熱交換器で吸収した室外の熱が室内熱交換器で室内に放出される。
【０００５】
そして、特開２０１３−６４５４４号公報（特許文献１）には、空気調和機が開示されている。特許文献１によると、ユーザの暑熱状態を検知する暑熱検知センサと、ユーザの冷え状態を検知する冷え検知センサと、設定温度に基づいて室温を制御する通常運転モードと、室温設定温度と暑熱検知手段および冷え検知手段でそれぞれ検知された検知結果とに基づいて室温を制御するセンシング運転モードにより運転を制御する制御手段と、を具備する。制御手段は、センシング運転モードでは、暑熱を検知したときに室温設定温度を所定温度低下させるよう補正し、冷えを検知したときに室温設定温度を所定温度上昇させるよう補正する。また、制御手段は、少なくともセンシング運転モード時の室温設定温度の上限を、通常運転モード時の上限よりも下方に制限し、または、室温設定温度の下限を、通常運転モード時の下限よりも上方に制限する。
【先行技術文献】
【特許文献】
【０００６】
【特許文献１】特開２０１３−６４５４４号公報
【発明の概要】
【発明が解決しようとする課題】
【０００７】
周囲の状況に適した運転を行うための技術が求められている。そこで、この発明の目的は、周囲の状況に適した運転を行うことが可能な空気調和システムを提供することにある。
【課題を解決するための手段】
【０００８】
この発明のある態様に従うと、空気調和システムが提供される。空気調和システムは、空気調和機構と、制御部とを備える。制御部は、空気調和機とは別の機器の動作状態を取得して、空気調和機構の制御温度を低下させる。
【発明の効果】
【０００９】
以上のように、この発明によれば、周囲の状況に適した運転を行うことが可能な空気調和システムが提供される。
【図面の簡単な説明】
【００１０】
【図１】第１の実施の形態にかかる空気調和システム１の全体構成と動作概要とを示すイメージ図である。
【図２】第１の実施の形態にかかる空気調和機１００の構成を示すブロック図である。
【図３】第１の実施の形態にかかるサーバ２００の構成を示すブロック図である。
【図４】第１の実施の形態にかかる補正命令データベース２２１を示す図である。
【図５】第１の実施の形態にかかる機器ユーザ対応データベース２２２を示す図である。
【図６】第１の実施の形態にかかる動作状態データベース２２３を示す図である。
【図７】第１の実施の形態にかかるサーバ２００の処理を示すフローチャートである。
【図８】第１の実施の形態にかかる機器３００の構成を示すブロック図である。
【図９】第２の実施の形態にかかる補正命令データベース２２１Ｂ示す図である。
【図１０】第２の実施の形態にかかる動作状態データベース２２３Ｂ示す図である。
【図１１】第２の実施の形態にかかるサーバ２００の処理を示すフローチャートである。
【図１２】第３の実施の形態にかかる空気調和システム１の全体構成と動作概要とを示すイメージ図である。
【図１３】第４の実施の形態にかかる空気調和システム１の全体構成と動作概要とを示すイメージ図である。
【図１４】第６の実施の形態にかかる学習データベース２２４を示す図である。
【図１５】第６の実施の形態にかかるサーバ２００の第１の処理を示すフローチャートである。
【図１６】第６の実施の形態にかかるサーバ２００の第２の処理を示すフローチャートである。
【図１７】第７の実施の形態にかかる空気調和システム１の全体構成と動作概要とを示すイメージ図である。
【図１８】第７の実施の形態にかかる空気調和機１００の処理を示すフローチャートである。
【発明を実施するための形態】
【００１１】
以下、図面を参照しつつ、本発明の実施の形態について説明する。以下の説明では、同一の部品には同一の符号を付してある。それらの名称および機能も同じである。したがって、それらについての詳細な説明は繰り返さない。
＜第１の実施の形態＞
＜空気調和システム１の全体構成＞
【００１２】
まず、図１を参照して、本実施の形態にかかる空気調和システム１の動作概要について説明する。空気調和システム１は、空気調和機１００と、空気調和機１００がアクセス可能な家電制御サーバ２００と、他のサーバ（たとえばユーザ情報提供サーバ２００Ｂや天気情報提供サーバ２００Ｃ）と、クッキングヒータ３００Ａなどの機器を含む。本実施の形態にかかる空気調和機１００は、ユーザからの命令に基づいて、冷房運転や暖房運転などを実行する。なお、以下では、クッキングヒータ３００Ａや電子レンジや炊飯器などの熱量を供給する装置を総称して機器３００ともいう。
【００１３】
本実施の形態においては、特に、空気調和機１００は、空気調和機１００の近傍のクッキングヒータ３００Ａなどの機器が動作した場合に、サーバ２００からの指示に基づいて制御温度を下げる。たとえば、サーバ２００は、クッキングヒータ３００Ａが強で運転されると冷房運転中の空気調和機１００に設定温度を２８度から２７度に下げさせたり、クッキングヒータ３００Ａが弱で運転されると冷房運転中の空気調和機１００に設定温度を２８度から２７．５度に下げさせたりする。
【００１４】
これによって、ユーザの体感温度が上がってしまう可能性を低減することができる。つまり、周囲の状況に合わせて空気調和機１００が動作状態を調整することによって、ユーザが不快に感じる可能性を低減することができる。
＜空気調和機１００の構成＞
【００１５】
以下、空気調和システム１の各部について詳細に説明する。まず、図２を参照して、本実施の形態にかかる空気調和機１００の構成について説明する。空気調和機１００は、主たる構成要素として、ＣＰＵ（Central Processing Unit）１１０と、メモリ１２０と、ディスプレイ１３０と、操作部１４０と、人感センサ１５０と、通信インターフェイス１６０と、赤外線インターフェイス１６５と、空気調和機構１８０とを含む。
【００１６】
ＣＰＵ１１０は、メモリ１２０あるいは外部の記憶媒体に記憶されているプログラムを実行することによって、空気調和機１００の各部を制御する。
【００１７】
メモリ１２０は、各種のＲＡＭ（Random Access Memory）、各種のＲＯＭ（Read Only Memory）などによって実現される。メモリ１２０は、ＣＰＵ１１０によって実行されるプログラムや、ＣＰＵ１１０によるプログラムの実行により生成されたデータ、操作部１４０を介して入力されたデータ、リモートコントローラから受信したデータ、ルータやインターネットを介してサーバ２００などから受信したデータなどを記憶する。
【００１８】
ディスプレイ１３０は、ＣＰＵ１１０からの信号に基づいて、文字や画像を表示する。なお、ディスプレイ１３０は、単にライトであってもよい。
【００１９】
操作部１４０は、ボタン、スイッチなどによって実現され、ユーザからの命令を受け付けて、当該命令をＣＰＵ１１０に入力する。なお、ディスプレイ１３０と操作部１４０とがタッチパネルによって構成されてもよい。
【００２０】
人感センサ１５０は、赤外線や音や温度やなどによって人の存在を検知して、検知結果をＣＰＵ１１０に伝える。
【００２１】
通信インターフェイス１６０は、無線ＬＡＮまたは有線ＬＡＮなどの通信モジュールによって実現される。通信インターフェイス１６０は、有線通信あるいは無線通信によって他の装置との間でデータをやり取りする。すなわち、ＣＰＵ１１０は、通信インターフェイス１６０を介して、サーバ２００などの他の装置から各種の情報を受信したり、当該他の装置に各種の情報を送信したりする。
【００２２】
赤外線インターフェイス１６５は、リモートコントローラからの命令を受け付けてＣＰＵ１１０に受け渡す。
【００２３】
本実施の形態にかかる空気調和機構１８０は、セパレート式であって、室内空気調和機構１８１と、室内空気調和機構１８１と冷媒配管や各種配線で繋がれる室外空気調和機構１８２から構成される。室内空気調和機構１８１は、主に筐体、室内熱交換器、室内ファン、フラップ、室内熱交換器温度センサ、室内温度センサ１８３および室内制御部から構成されている。室外空気調和機構１８２は、主に、筐体、圧縮機、四路切換弁、室外熱交換器、膨張弁、室外ファン、二方弁、三方弁、室外熱交換器温度センサ、吐出温度センサ、吸入温度センサ、出口温度センサ、外気温度センサおよび室外制御部から構成されている。なお、室内制御部や室外制御部は、前述のＣＰＵ１１０によって実現されてもよい。
＜家電制御サーバ２００のハードウェア構成＞
【００２４】
まず、図３を参照して、家電制御サーバ２００は、主たる構成要素として、ＣＰＵ２１０と、メモリ２２０と、操作部２４０と、通信インターフェイス２６０とを含む。
【００２５】
ＣＰＵ２１０は、メモリ２２０に記憶されているプログラムを実行することによって、サーバ２００の各部を制御する。たとえば、ＣＰＵ２１０は、メモリ２２０に格納されているプログラムを実行し、各種のデータを参照することによって、後述する各種の処理を実行する。
【００２６】
メモリ２２０は、各種のＲＡＭ、各種のＲＯＭなどによって実現される。メモリ２２０は、ＣＰＵ２１０によって実行されるプログラムや、ＣＰＵ２１０によるプログラムの実行により生成されたデータ、入力されたデータ、快適温度制御サービスなどに利用されるデータベースなどを記憶する。たとえば、メモリ２２０は、補正命令データベース２２１や、機器ユーザ対応データベース２２２や、動作状態データベース２２３などを格納する。
【００２７】
図４に示す、補正命令データベース２２１は、空気調和機１００の周囲の機器の種類および動作状態毎の、クッキングヒータ・食器洗い乾燥機・炊飯器などの機器の種類と、強度・時間・運転モードなどの機器の動作状態と、空気調和機１００の制御温度を−１℃・−１．５℃などに補正するための補正命令などの対応関係を含む。なお、当然に、動作状態としては、消費電力や温度などであってもよいし、その他の物理量であってもよい。
【００２８】
図５に示す、機器ユーザ対応データベース２２２は、機器毎の、機器を特定するための機器ＩＤと、機器の種類と、当該機器のユーザを特定するためのユーザＩＤと、ユーザの住所と、ユーザのメールアドレスと、キッチンやリビングなどの機器が設置されている部屋を特定するための情報などの対応関係を含む。
【００２９】
図６に示す、動作状態データベース２２３は、空気調和機１００毎の、機器ＩＤと、現在の動作状態と、現在の有効になっている補正命令などの対応関係を含む。
【００３０】
図３に戻って、操作部２４０は、サービスの管理者などの命令を受け付けて、当該命令をＣＰＵ２１０に入力する。
【００３１】
通信インターフェイス２６０は、ＣＰＵ２１０からのデータを、インターネット、キャリア網、ルータなどを介して空気調和機１００やクッキングヒータ３００Ａなどの他の装置に送信する。逆に、通信インターフェイス２６０は、インターネット、キャリア網、ルータなどを介して空気調和機１００やクッキングヒータ３００Ａなどの他の装置からのデータを受信して、ＣＰＵ２１０に受け渡す。
＜サーバ２００における情報処理＞
【００３２】
次に、図７を参照しながら、本実施の形態にかかるサーバ２００における情報処理について説明する。サーバ２００のＣＰＵ２１０は、通信インターフェイス２６０を介して、空気調和機１００やクッキングヒータ３００Ａなどの装置からデータを受信すると以下の処理を実行する。
【００３３】
まず、ＣＰＵ２１０は、機器３００からの受信データから、機器ＩＤを読み出す（ステップＳ１０２）。ＣＰＵ２１０は、機器ユーザ対応データベース２２２を参照して、機器ＩＤに対応するユーザに対応する空気調和機１００が登録されているか否かを判断する（ステップＳ１０４）。機器ＩＤに対応するユーザに対応する空気調和機１００が登録されていない場合（ステップＳ１０４においてＮＯである場合）、ＣＰＵ２１０は、通信インターフェイス２６０を介して次の機器３００からのデータを待ち受ける。
【００３４】
一方、機器ＩＤに対応するユーザに対応する空気調和機１００が登録されている場合（ステップＳ１０４においてＹＥＳである場合）、ＣＰＵ２１０は、受信データから機器３００の種類を特定する（ステップＳ１０６）。ＣＰＵ２１０は、受信データから機器３００の動作状態を取得する（ステップＳ１０８）。ＣＰＵ２１０は、補正命令データベース２２１から、機器３００の動作状態に対応する空気調和機１００に対する補正命令を特定する（ステップＳ１１２）。ＣＰＵ２１０は、通信インターフェイス２６０を介して、対応する空気調和機１００に補正命令を送信する（ステップＳ１１６）。
【００３５】
なお、機器３００の動作状態が終了した際や、空気調和機１００の制御命令を補正する必要がない程度の動作状態である場合は、ＣＰＵ２１０は、ステップＳ１１６において、通信インターフェイス２６０を介して、対応する空気調和機１００に補正命令を解除するための指示を送信する。
＜機器３００の構成＞
【００３６】
次に、クッキングヒータ３００Ａや食器洗い乾燥機や浴室用機器などの機器３００について詳細に説明する。図８を参照して、機器３００は、主たる構成要素として、ＣＰＵ３１０と、メモリ３２０と、ディスプレイ３３０と、操作部３４０と、人感センサ３５０と、通信インターフェイス３６０と、赤外線インターフェイス３６５と、機器駆動部３８０とを含む。
【００３７】
ＣＰＵ３１０は、メモリ３２０あるいは外部の記憶媒体に記憶されているプログラムを実行することによって、機器３００の各部を制御する。
【００３８】
メモリ３２０は、各種のＲＡＭおよび各種のＲＯＭなどによって実現される。メモリ３２０は、ＣＰＵ３１０によって実行されるプログラムや、ＣＰＵ３１０によるプログラムの実行により生成されたデータ、操作部３４０を介して入力されたデータ、ルータやインターネットを介してサーバ２００などから受信したデータなどを記憶する。
【００３９】
ディスプレイ３３０は、ＣＰＵ３１０からの信号に基づいて、文字や画像を表示する。なお、ディスプレイ３３０は、単にライトであってもよい。
【００４０】
操作部３４０は、ボタン、スイッチなどによって実現され、ユーザからの命令を受け付けて、当該命令をＣＰＵ３１０に入力する。なお、ディスプレイ３３０と操作部３４０とがタッチパネルによって構成されてもよい。
【００４１】
人感センサ３５０は、音や温度などによって人の存在を検知して、検知結果をＣＰＵ３１０に伝える。
【００４２】
通信インターフェイス３６０は、無線ＬＡＮまたは有線ＬＡＮなどの通信モジュールによって実現される。通信インターフェイス３６０は、ＣＰＵ３１０からの指示に基づいて、有線通信あるいは無線通信によって他の装置との間でデータをやり取りする。たとえば、ＣＰＵ３１０は、ユーザから受け付けた操作命令や人感センサや温度センサを介して取得した測定結果などを自身の機器ＩＤとともに、通信インターフェイス３６０を介して、サーバ２００などの他の装置に送信したり、当該他の装置から各種の情報を受信したりする。
【００４３】
赤外線インターフェイス３６５は、リモートコントローラからの命令を受け付けてＣＰＵ３１０に受け渡す。
【００４４】
機器駆動部３８０は、機器３００の主要な機能を実現するためのものである。機器駆動部３８０は、モータやアクチュエータやヒータなどによって実現され、ＣＰＵ３１０からの信号に基づいて動作する。
＜第２の実施の形態＞
【００４５】
第１の実施の形態においては、機器の種類毎および動作状態毎に、空気調和機１００に対する補正命令が設定されているものであった。そして、補正命令に対応する動作状態が解除されれば、当該補正命令が無効になるものであった。
【００４６】
本実施の形態においては、図９に示すように、補正命令データベース２２１Ｂは、機器の種類毎および動作状態毎に、空気調和機に対する補正命令と、動作状態が解除された際の復帰命令を格納する。復帰命令は、たとえば、対象となっていた動作状態が終了してから、５分経過毎に０．５℃ずつ制御温度をもとの制御温度に戻していく制御であったり、動作状態の終了後１０分間補正状態を維持してからもとの制御温度に戻す制御であったりする。
【００４７】
なお、復帰命令としては、所定の時間毎に、段階的に、補正命令を実行する前の温度に戻していくことが好ましい。具体例としては、空気調和機１００のＣＰＵ１１０は、サーバ２００からの復帰命令に基づいて、補正命令によって変化させた温度を分割して、所定時間毎に元の温度に段階的に近づけていくように空気調和機構１８０を制御することが好ましい。たとえば、サーバ２００からの補正命令によって制御温度を３℃低下させている場合に、ＣＰＵ１１０（またはＣＰＵ２１０）は、３℃を５分割し、７分毎に０．６℃ずつ制御温度を元に戻していくように空気調和機構１８０を制御する形態が考えられる。このようにすることで、制御温度を下げ続けることによりユーザが寒く感じてしまう可能性を低減することができる。
【００４８】
この場合は、図１０に示すように、動作状態データベース２２３Ｂは、空気調和機１００毎に、機器ＩＤと、現在の動作状態と、現在の補正状態あるいは現在の復帰状態などの対応関係を含む。
【００４９】
次に、図１１を参照しながら、本実施の形態にかかるサーバ２００における情報処理について説明する。まず、ＣＰＵ２１０は、機器３００からの受信データから、機器ＩＤを読み出す（ステップＳ１０２）。ＣＰＵ２１０は、機器ユーザ対応データベース２２２を参照して、機器ＩＤに対応するユーザに対応する空気調和機１００が登録されているか否かを判断する（ステップＳ１０４）。機器ＩＤに対応するユーザに対応する空気調和機１００が登録されていない場合（ステップＳ１０４においてＮＯである場合）、ＣＰＵ２１０は、通信インターフェイス２６０を介して次の機器３００からのデータを待ち受ける。
【００５０】
一方、機器ＩＤに対応するユーザに対応する空気調和機１００が登録されている場合（ステップＳ１０４においてＹＥＳである場合）、ＣＰＵ２１０は、受信データから機器３００の種類を特定する（ステップＳ１０６）。ＣＰＵ２１０は、受信データから機器３００の動作状態を取得する（ステップＳ１０８）。ＣＰＵ２１０は、機器３００の動作状態が終了したか否かを判断する（ステップＳ１１０）。ＣＰＵ１１０は、機器３００の動作状態が終了していない場合（ステップＳ１１０においてＮＯである場合）、補正命令データベース２２１Ｂから、機器３００の動作状態に対応する補正命令を特定する（ステップＳ１１２）。ＣＰＵ２１０は、通信インターフェイス２６０を介して、対応する空気調和機１００に補正命令を送信する（ステップＳ１１６）。
【００５１】
一方、機器３００の動作状態が終了した場合（ステップＳ１１０においてＹＥＳである場合）、ＣＰＵ２１０は、補正命令データベース２２１Ｂから、機器の動作状態に対応する復帰命令を特定する（ステップＳ１１４）。ＣＰＵ２１０は、通信インターフェイス２６０を介して、対応する空気調和機１００に復帰命令を送信する（ステップＳ１１６）。
＜第３の実施の形態＞
【００５２】
第１および第２の実施の形態においては、機器３００がクッキングヒータ３００Ａの場合について説明した。本実施の形態においては、機器３００が浴室用の機器であって、たとえばシャワー３００Ｂなどの湯を供給する機器または浴室内に人がいることを検知するためのセンサ３００Ｃである場合について説明する。
【００５３】
図１２を参照しながら、空気調和機１００は、同じ居住区内のシャワー３００Ｂなどの浴室機器が動作した場合に、サーバ２００からの指示に基づいて制御温度を下げる。たとえば、サーバ２００は、シャワー３００Ｂが使用されると、冷房運転中の空気調和機１００に設定温度を下げさせる。
【００５４】
より詳細には、補正命令データベース２２１は、シャワー３００Ｂなどの機器３００の種類と、流量・湯温などの動作状態と、空気調和機１００の制御温度を−１℃や−１．５℃などに補正するための補正命令などの対応関係を含む。なお、当然に、動作状態としては、消費電力や熱量などであってもよいし、その他の物理量であってもよい。
【００５５】
そして、図７を参照して、ステップＳ１０８において、ＣＰＵ２１０は、シャワー３００Ｂからの受信データからシャワー３００Ｂの湯の使用量と湯の温度などを取得する（ステップＳ１０８）。そして、ＣＰＵ２１０は、補正命令データベース２２１から、シャワー３００Ｂにおける湯の使用量と湯の温度などに対応する補正命令を特定する（ステップＳ１１２）。ＣＰＵ２１０は、通信インターフェイス２６０を介して、対応する空気調和機１００に補正命令を送信する（ステップＳ１１６）。
【００５６】
あるいは、図１２を参照しながら、空気調和機１００の近傍の浴室に設置されている人感センサ３００Ｃが人を検知した場合に、サーバ２００は冷房運転中の空気調和機１００に制御温度を下げさせる。
【００５７】
より詳細には、補正命令データベース２２１は、人感センサ３００Ｃなどの機器の種類と、浴室内に人がいる時間と、空気調和機１００の制御温度を−１℃・−１．５℃などに補正するための補正命令などの対応関係を含む。たとえば、浴室内に人が１０分以上いると制御温度を１℃下げるように空気調和機１００を制御し、浴室内に人が２０分以上いると制御温度を１．５℃下げるように空気調和機１００を制御し、浴室内に人が３０分以上いると制御温度を２℃下げるように空気調和機１００を制御する。
【００５８】
図７を参照して、ステップＳ１０８において、ＣＰＵ２１０は、人感センサ３００Ｃからの受信データから人を検知した旨の情報を取得する（ステップＳ１０８）。そして、ＣＰＵ２１０は、補正命令データベース２２１から、浴室内に人がいる時間に対応する補正命令を特定する（ステップＳ１１２）。ＣＰＵ２１０は、通信インターフェイス２６０を介して、対応する空気調和機１００に補正命令を送信する（ステップＳ１１６）。
【００５９】
このようにすることで、湯につかるなどによってユーザの体がほてっている状態で、ユーザが居住区内に戻ってきた際に、ユーザがより涼しく感じることができる。なお、本実施の形態の構成に上述した第２の実施の形態の構成を組み合わせてもよい。これによって、制御温度を下げ続けることにより浴室から出てきたユーザが寒く感じてしまう可能性も低減することができる。
＜第４の実施の形態＞
【００６０】
本実施の形態においては、空気調和システム１が複数の機器３００を含む場合、たとえば空気調和システム１がクッキングヒータ３００Ａと浴室用の機器としての湯を供給するシャワー３００Ｂと浴室内に人がいることを検知するためのセンサ３００Ｃとを含む場合について説明する。
【００６１】
すなわち、図１３を参照して、空気調和機１００は、空気調和機１００の近傍のクッキングヒータ３００Ａが使用された際または空気調和機１００の近傍のシャワー３００Ｂが使用された際または浴室に設置されている人感センサ３００Ｃが人を検知した場合に、制御温度を下げる。すなわち、いずれかの条件が満たされた際に、その程度に応じて、サーバ２００は、空気調和機１００の制御温度を下げる。
【００６２】
ここまでの説明によって明らかではあるが、機器３００としては、空気調和機１００の近傍において加熱処理を実行したり、空気調和機１００の周囲の温度を上昇させたりする装置に関係するものであればよく、当該装置を含むシステムに上記の技術を利用可能である。
【００６３】
たとえば、機器３００は、キッチン内に人がいることを検知するためのセンサであってもよく、キッチンに人が２０分以上いると制御温度を１℃下げるように空気調和機１００を制御し、キッチンに人が４０分以上いると制御温度を１．５℃下げるように空気調和機１００を制御し、キッチンに人が６０分以上いると制御温度を２℃下げるように空気調和機１００を制御してもよい。
【００６４】
あるいは、機器３００は、外から人が帰ってきたことを検知するための玄関・廊下・リビングルームなどに配置されるセンサであってもよく、外から帰ってきた人がリビングルームに入ってきたときに、５分だけ制御温度を下げるように空気調和機１００を制御してもよい。
【００６５】
あるいは、サーバ２００は、機器３００が所定の動作を行うこと、または／および空気調和機１００の温度センサ１８３によって検知された室内温度が上昇すること、を検知した場合に空気調和機１００の制御温度を低下させてもよい。当然に、空気調和機１００のＣＰＵ１１０が、機器３００が所定の動作を行うこと、または／および温度センサ１８３によって検知された室内温度が上昇すること、を検知した場合に空気調和機構１８０の制御温度を低下させてもよい。
【００６６】
また、サーバ２００のＣＰＵ２１０は、複数の機器３００の動作に基づいて、補正命令データベース２２１を参照して、加算的に、制御温度の補正値を変化させてもよい。
＜第５の実施の形態＞
【００６７】
第１〜第４の実施の形態においては、空気調和機１００の周囲の温度が上昇しそうな場合に、空気調和機１００の制御温度を下げるものであったが、本実施の形態においては、温度ではなく湿度を対象とするものである。すなわち、空気調和機１００の周囲の湿度が上昇しそうな場合に、空気調和機１００の制御湿度を下げるものである。なお、空気調和機１００の周囲の湿度が低下しそうな場合に、空気調和機１００の制御湿度を上げるものであってもよい。
【００６８】
より詳細には、補正命令データベース２２１は、シャワー３００Ｂなどの機器３００の種類と、流量・温度などの利用状態と、空気調和機１００の制御湿度（目標とする湿度）を−３％・−５％などに補正するための補正命令などの対応関係を含む。
【００６９】
この場合は、図７を参照して、ステップＳ１１２において、ＣＰＵ２１０は、補正命令データベース２２１から、機器３００の動作状態に対応する、制御湿度に関する補正命令を特定する（ステップＳ１１２）。ＣＰＵ２１０は、通信インターフェイス２６０を介して、対応する空気調和機１００に補正命令を送信する（ステップＳ１１６）。
【００７０】
なお、サーバ２００および／または空気調和機１００は、制御温度と制御湿度との両方を補正の対象としてもよい。
＜第６の実施の形態＞
【００７１】
さらには、補正命令が有効である場合に、空気調和機１００がユーザからの命令を受け付けると当該ユーザ命令に基づいて、あるいは空気調和機１００の動作履歴に基づいて、ユーザ毎または空気調和機毎に、補正命令を修正したり学習したりすることが好ましい。
【００７２】
より詳細には、空気調和機１００においては、補正命令が有効であるときに、ユーザからの制御温度や制御湿度などを変更する命令を受け付けた際に、ＣＰＵ１１０は通信インターフェイス１６０を介して当該制御温度や制御湿度などの変更命令に関する情報をサーバ２００に送信する。
【００７３】
一方、サーバ２００においては、学習データベース２２４が格納される。図１４に示すように、学習データベース２２４は、元の補正命令を修正すべき空気調和機１００毎またはユーザ毎に、対応する機器３００のＩＤと、対応する機器３００の動作状態と、基本の（元の）補正命令と、修正後の補正命令との対応関係を格納する。
【００７４】
そして、サーバ２００においては、図１５に示すように、ＣＰＵ２１０は、空気調和機１００からの受信データから、空気調和機１００の機器ＩＤを読み出す（ステップＳ１５２）。ＣＰＵ２１０は、さらに、受信データから、対応する機器３００のＩＤや機器３００の動作状態や先程まで有効であった補正命令や、当該制御温度や制御湿度などに関するユーザによる変更命令を取得する（ステップＳ１５４）。
【００７５】
ＣＰＵ２１０は、変更命令に基づいて学習データベース２２４に、変更命令を反映させたのちの補正命令を新補正命令として決定する（ステップＳ１５６）。たとえば、元の補正命令が２℃下げるというものである場合に、制御温度を１℃上げるためのユーザの変更命令を受け付けたときは、１℃下げるための制御命令を新補正命令として決定する。ＣＰＵ２１０は、新補正命令を、対応する機器３００のＩＤや機器３００の動作状態と対応付けて、学習データベース２２４に登録する（ステップＳ１５８）。あるいは、ＣＰＵ２１０は、学習データベース２２４に登録されている新補正命令を修正する（ステップＳ１５８）。
【００７６】
これによって、サーバ２００のＣＰＵ２１０は、通信インターフェイス２６０を介して、機器３００から動作状態に関するデータを受信した際に以下の処理を実行する。
【００７７】
図１６を参照して、ＣＰＵ２１０は、機器３００からの受信データから、機器ＩＤを読み出す（ステップＳ１０２）。ＣＰＵ２１０は、機器ユーザ対応データベース２２２を参照して、機器ＩＤに対応するユーザに対応する空気調和機１００が登録されているか否かを判断する（ステップＳ１０４）。機器ＩＤに対応するユーザに対応する空気調和機１００が登録されていない場合（ステップＳ１０４においてＮＯである場合）、ＣＰＵ２１０は、通信インターフェイス２６０を介して次の機器からのデータを待ち受ける。
【００７８】
一方、機器ＩＤに対応するユーザに対応する空気調和機１００が登録されている場合（ステップＳ１０４においてＹＥＳである場合）、ＣＰＵ２１０は、受信データから機器３００の種類を特定する（ステップＳ１０６）。ＣＰＵ２１０は、受信データから機器３００の動作状態を取得する（ステップＳ１０８）。ＣＰＵ２１０は、空気調和機１００のＩＤと機器３００のＩＤと機器３００の動作状態とに基づいて、学習データベース２２４に、当該空気調和機１００と当該動作状態に対応するユーザの操作に基づいた学習後の新補正命令を探す（ステップＳ１６４）。
【００７９】
当該新補正命令が見つかった場合には、ＣＰＵ２１０は、当該新補正命令に決定する（ステップＳ１６６）。見つからなかった場合には、ＣＰＵ２１０は、補正命令データベース２２１から、機器３００の動作状態に対応する空気調和機１００に対する通常の補正命令を特定する（ステップＳ１１２）。ＣＰＵ２１０は、通信インターフェイス２６０を介して、対応する空気調和機１００に新補正命令または通常の補正命令を送信する（ステップＳ１１６）。
【００８０】
なお、機器３００の動作状態が終了した際や、空気調和機１００の制御命令を補正する必要がない程度の動作状態である場合は、ＣＰＵ２１０は、ステップＳ１１６において、通信インターフェイス２６０を介して、対応する空気調和機１００に補正命令を解除するための指示を送信する。
【００８１】
また、空気調和システム１は、さらに高度な学習機能を有してもよい。たとえば、学習データベース２２４は、補正命令を修正すべき、空気調和機１００毎またはユーザ毎だけでなく、時間帯毎や、曜日毎や、季節毎や、天気毎などにも応じて、機器３００のＩＤと、動作状態と、学習後の補正命令との対応関係を格納してもよい。あるいは、空気調和機１００が配置されている部屋のユーザの組み合わせ毎に、学習後の補正命令を準備してもよい。
【００８２】
上記の説明では、補正命令を修正する形態について説明したが、空気調和機１００が復帰状態中にユーザによる命令があった場合は、サーバ２００のＣＰＵ２１０は、復帰命令を修正したり学習したりしてもよい。
＜第７の実施の形態＞
【００８３】
上記の実施の形態のサーバ２００の役割の一部や全部を、他のサーバや空気調和機１００やスマートフォンなどが担ってもよい。たとえば、各種のデータは、サーバ２００に格納されてもよいし、サーバ２００がアクセス可能に他のサーバに格納されてもよい。あるいは、図１７に示すように、サーバ２００の役割を空気調和機１００が担ってもよい。すなわち、空気調和システム１が空気調和機１００によって構成される。換言すれば、空気調和システム１が室内空気調和機構１８１と室外空気調和機構１８２とＣＰＵ１１０などを含む。
【００８４】
図１７を参照して、空気調和機１００は、ＷｉＦｉ（登録商標）ルータ４００などを介して、空気調和機１００の近傍のクッキングヒータ３００Ａなどの機器３００が動作したことを検知して、制御温度を下げる。たとえば、空気調和機１００は、冷房運転中に、クッキングヒータ３００Ａが強で運転されると設定温度を２８度から２７度に下げたり、クッキングヒータ３００Ａが弱で運転されると設定温度を２８度から２７．５度に下げたりする。
【００８５】
この場合は、空気調和機１００のメモリ１２０が、補正命令データベース２２１Ｂなどを格納する。
【００８６】
そして、図１８に示すように、ＣＰＵ１１０は、ルータ４００を介して、クッキングヒータ３００Ａなどの機器３００からデータを受信すると以下の処理を実行する。ＣＰＵ１１０は、受信データから機器３００の種類を特定する（ステップＳ２０６）。ＣＰＵ１１０は、受信データから機器３００の動作状態を取得する（ステップＳ２０８）。
【００８７】
ＣＰＵ１１０は、機器３００の動作状態が終了したか否かを判断する（ステップＳ２１０）。ＣＰＵ１１０は、機器３００の動作状態が終了していない場合（ステップＳ２１０においてＮＯである場合）、補正命令データベース２２１Ｂから、機器３００の動作状態に対応する補正命令を特定する（ステップＳ２１２）。ＣＰＵ１１０は、補正命令に基づいて制御温度や制御湿度を補正する（ステップＳ２１６）。
【００８８】
一方、機器３００の動作状態が終了した場合（ステップＳ２１０においてＹＥＳである場合）、ＣＰＵ１１０は、補正命令データベース２２１Ｂから、機器３００の動作状態に対応する復帰命令を特定する（ステップＳ２１４）。ＣＰＵ１１０は、復帰命令に基づいて制御温度や制御湿度を補正する（ステップＳ２１６）。
【００８９】
なお、空気調和機１００は、出荷時に補正命令データベース２２１，２２１Ｂなどを記憶してもよいし、定期的にあるいはサーバ２００からの指示に基づいてサーバ２００から最新の補正命令データベース２２１，２２１Ｂなどをダウンロードしてもよい。
＜まとめ＞
【００９０】
上記の第１から第７の実施の形態においては、空気調和機構１８０（空気調和機１００）と、制御部２１０（１１０）とを備える空気調和システム１が提供される。制御部２１０は、空気調和機構１８０とは別の機器３００の動作状態を取得して、空気調和機構１８０の制御温度を低下させる。
【００９１】
好ましくは、別の機器３００は、浴室用機器３００Ｂ（３００Ｃ）である。制御部２１０は、浴室用機器３００Ｂの動作状態に基づいて制御温度を低下させる。
【００９２】
好ましくは、別の機器３００は、調理用機器３００Ａである。制御部２１０は、調理用機器３００Ａの動作状態に基づいて制御温度を低下させる。
【００９３】
好ましくは、別の機器３００は近傍にユーザがいるか否かを検知するためのセンサ３００Ｃである。制御部２１０は、別の機器３００の動作状態としてセンサ３００Ｃの近傍にユーザが滞在する時間に基づいて制御温度を低下させる。
【００９４】
好ましくは、制御部２１０は、さらに空気調和機構１８０の動作履歴に基づいて、制御温度を変更する。
【００９５】
好ましくは、制御部２１０は、別の機器３００の動作状態に基づいて、空気調和機構１８０の制御湿度も変更する。
【００９６】
好ましくは、制御部２１０は、別の機器３００の動作終了後に制御温度を段階的にもとの制御温度に戻していく。
【００９７】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【００９８】
１        ：空気調和システム
１００    ：空気調和機（空気調和機構）
１１０    ：ＣＰＵ
１２０    ：メモリ
１３０    ：ディスプレイ
１４０    ：操作部
１５０    ：人感センサ
１６０    ：通信インターフェイス
１６５    ：赤外線インターフェイス
１８０    ：空気調和機構
１８１    ：室内空気調和機構
１８２    ：室外空気調和機構
１８３    ：室内温度センサ
２００    ：家電制御サーバ
２００Ｂ  ：情報提供サーバ
２００Ｃ  ：情報提供サーバ
２１０    ：ＣＰＵ
２２０    ：メモリ
２２１    ：補正命令データベース
２２１Ｂ  ：補正命令データベース
２２２    ：機器ユーザ対応データベース
２２３    ：動作状態データベース
２２３Ｂ  ：動作状態データベース
２２４    ：学習データベース
２４０    ：操作部
２６０    ：通信インターフェイス
３００    ：機器
３００Ａ  ：クッキングヒータ
３００Ｂ  ：シャワー
３００Ｃ  ：人感センサ
３１０    ：ＣＰＵ
３２０    ：メモリ
３３０    ：ディスプレイ
３４０    ：操作部
３５０    ：人感センサ
３６０    ：通信インターフェイス
３６５    ：赤外線インターフェイス
３８０    ：機器駆動部
４００    ：ルータ
【図１】
2018119695.tif 000003
【図２】
2018119695.tif 000004
【図３】
2018119695.tif 000005
【図４】
2018119695.tif 000006
【図５】
2018119695.tif 000007
【図６】
2018119695.tif 000008
【図７】
2018119695.tif 000009
【図８】
2018119695.tif 000010
【図９】
2018119695.tif 000011
【図１０】
2018119695.tif 000012
【図１１】
2018119695.tif 000013
【図１２】
2018119695.tif 000014
【図１３】
2018119695.tif 000015
【図１４】
2018119695.tif 000016
【図１５】
2018119695.tif 000017
【図１６】
2018119695.tif 000018
【図１７】
2018119695.tif 000019
【図１８】
2018119695.tif 000020